(57)【要約】様々な体積を有する成形されたタンポンが提供される。自立形に形成されるタンポンは、ほぼＳ字状である外側表面を有する。タンポンは連続して変化する体積も有する。成形されたタンポンは、様々な平均繊維密度の領域を有してもよい。成形されたタンポンは、使用前の自立形を維持するのを任意に助ける、ぴったり一致する包装材で包まれてもよい。任意に、成形されたタンポンは、ユーザが、使用前にタンポンの形を目で見ることができるようにするタンポンアプリケータを利用してもよい。
2005520633.tif 000002
【特許請求の範囲】
【請求項１】
自立形に形成された吸収性材料のかたまりを含むタンポンであって、前記自立形が：
挿入末端部、引き抜き末端部、及び中央領域を含み、前記挿入末端部が、前記引き抜き末端部の反対側にあると共に、前記中央領域が前記挿入末端部と前記引き抜き末端部との間に位置し；
前記自立形が、ほぼＳ字状である外側表面を有し；タンポンが、連続して変化する体積を有する、タンポン。
【請求項２】
前記挿入末端部が先細になっていると共に、前記引き抜き末端部がフレアになっている請求項１に記載のタンポン。
【請求項３】
前記中央領域が、引き抜き末端部周囲より小さい少なくとも１つの周囲を有する請求項１又は２に記載のタンポン。
【請求項４】
前記中央領域周囲の少なくとも１つが、引き抜き末端部周囲より５％〜２５％小さい請求項１〜３のいずれか１項に記載のタンポン。
【請求項５】
最大周囲領域の平均繊維密度を有する最大周囲領域と、最小周囲領域の平均繊維密度を有する最小周囲領域とを有し；
前記最小周囲領域の平均繊維密度が、前記最大周囲領域の平均繊維密度より大きい請求項１〜４のいずれか１項に記載のタンポン。
【請求項６】
前記最小周囲領域の平均繊維密度が、前記引き抜き末端部の平均繊維密度の１０５％〜１５０％である請求項１〜５のいずれか１項に記載のタンポン。
【請求項７】
前記最大周囲領域及び前記引き抜き末端部が、第１の平均繊維密度を有するレーヨンを含み、前記最小周囲領域が、前記第１の平均繊維密度より大きい第２の平均繊維密度を有する綿／レーヨンブレンドを含む請求項１〜６のいずれか１項に記載のタンポン。
【請求項８】
少なくとも部分的に半透明で、ユーザが、使用前に前記タンポンの少なくとも一部分を透かして見ることができるアプリケータに収容された請求項１〜７のいずれか１項に記載のタンポン。
【請求項９】
アプリケータが、可撓性材料からなる挿入末端部を含み；
前記可撓性材料の少なくとも一部分が、前記タンポンの前記ほぼＳ字状の外側表面の少なくとも一部分と一致して、ユーザが、前記アプリケータから前記タンポンを排除する前に、前記可撓性材料を通して前記タンポンの前記ほぼＳ字状の外側表面の少なくとも一部分を見ることができるようにする、前記アプリケータに収容された請求項１〜８のいずれか１項に記載のタンポン。
【請求項１０】
ぴったり一致する包装材に包まれた請求項１〜９のいずれか１項に記載のタンポン。
【発明の詳細な説明】
【技術分野】
【０００１】
本発明は、タンポンのＸ軸線に沿って様々な体積を有する成形された吸収性タンポンに関する。本発明はまた、本発明の成形された吸収性タンポンと共に有用な、ぴったり一致する包装材とタンポンアプリケータにも関する。
【背景技術】
【０００２】
多種多様の吸収性生理用タンポンが当該技術分野において長い間既知である。膣への挿入を容易にするために、市販されているほとんどのタンポンは、使用前はほぼ円筒形である。膣管は滑らかでも直線でもなく、非常に起伏があることは周知である。タンポンには、先細になっている挿入末端部を有し、挿入をより快適にするものがある。おそらくは、挿入時にユーザが押すためのより広い表面積を提供するために、フレアになっている引き抜き末端部を有するものもある。にもかかわらず、本発明の発明者達は、タンポン挿入の快適さ及び／又は容易さが、満たされていない重要な消費者のニーズであることを見出した。一旦起伏のある膣管に入ると快適であるタンポンを有することも重要である。更に、タンポンの挿入を快適に及び／又は容易にする特徴が、使用中のタンポンの流体獲得能力を損なわない、又はその能力を増大することが望ましい。
【発明の開示】
【発明が解決しようとする課題】
【０００３】
本発明は快適な成形されたタンポンを提供する。成形されたタンポンは、挿入の容易さ及び／又は快適さを助ける。本発明のタンポンは、様々な密度領域を任意に有し、挿入の容易さ及び／又は快適さを更に促進する一方、タンポンへの流体の獲得を増進することができる。
【課題を解決するための手段】
【０００４】
本発明は、様々な体積を有する成形されたタンポンに関する。タンポンは、ほぼＳ字状である外側表面を有する自立形に形成される。タンポンは、連続して変化する体積も有する。成形されたタンポンは、様々な平均繊維密度の領域を有してもよい。本発明のタンポンは、使用前にタンポンの自立形を維持するのを助けることができる、ぴったり一致する包装材を任意に含んでもよい。タンポンはまた、ユーザが、使用前にタンポンの形を見ることができるタンポンアプリケータを任意に利用してもよい。
【発明を実施するための最良の形態】
【０００５】
本明細書は、本発明を形成するとみなされる主題を特に指摘して明確に請求する特許請求の範囲をもって結論とするが、本発明は、添付の図面と関連させた次の説明で更によく理解されると考えられる。
【０００６】
本発明は、成形されたタンポンに関する。図は、そのような成形されたタンポン２０の様々な実施形態を示している。しかし、本発明は、図面に示された特定の形体を有する構造に制限されない。
【０００７】
用語「タンポン」は、流体を吸収するために膣管又は他の体腔内に挿入されるいかなるタイプの吸収性構造をも指す。タンポンの「外側表面」は、使用及び／又は膨張前の（圧縮された及び／又は成形された）タンポンの目に見える表面を指す。外側表面は、うね、螺旋状のうね、網目模様などによって、審美的に任意に非平坦化されてもよい。典型的にタンポンは、膣又は他の体腔内への挿入を可能にする寸法及び安定性であるタンポンを提供するために、幅方向、放射方向、及び軸線方向のいずれか又は全ての方向において圧縮及び／又は成形された吸収性材料から構成される。タンポンは、タンポンプレジットが圧縮及び／又は成形されて、外力なしに膣への挿入が可能である一般的形状及び寸法を取る時、「自立形」を有する。この自立形は、タンポンの実際の使用中には必要がなく、また好ましくは持続しないことが、当業者に理解されるであろう。すなわち、一旦タンポンが挿入されて、流体を獲得し始めると、タンポンは膨張し始めてもよく、またその自立形体を失ってもよい。
【０００８】
本明細書で使用される時、用語「プレジット」又は「タンポンプレジット」は、互換性があると共に、構成体が上記のようなタンポンに圧縮される前の吸収性材料の構成体を指すことを意図している。タンポンプレジットは、タンポン半加工品又はソフトワインド（巻き）と呼ばれることがあり、用語「プレジット」は、そのような用語も同様に含むことを意図している。一般に本明細書では、用語「タンポン」は、圧縮及び／又は成形工程後の完成したタンポンを指すために使用される。幾つかの文脈では、これらの用語は互換性があることが、当業者によって認められるであろう。タンポン製造の様々な段階が、可能な限りの明確さを提供することを配慮して、本明細書に説明されている。従って、使用される用語は、読者が本発明の特徴を最良に理解する一助となるものであり、本明細書においてそれらの用語が使用されている文脈と矛盾する用語における制限をもたらすものではない。
【０００９】
本明細書で使用される時、用語「膣腔」、「膣内」、及び「膣管」は、同義であることを意図すると共に、人間の女性の外陰部の内生殖器を指す。用語「膣管」は、膣口（時に膣括約筋と呼ばれる）と子宮頸部との間に位置する空間を指すことを意図するものであって、膣前庭の床部を含む陰唇間の空間を含むことは意図しない。外から見える生殖器は一般に、本明細書で使用される用語「膣管」には含まれない。
【００１０】
用語「指で挿入するタンポン」は、アプリケータの助けなしにユーザの指で膣管に挿入されることを意図するタンポンを指す。故に、指で挿入するタンポンは、通常は、アプリケータに収容されているというよりも、使用前に消費者の目に見えている。
【００１１】
タンポンの「Ｘ軸線」は、図２に示されるように、タンポンの中央を通って長手方向に伸びる軸線である。引き抜き末端部がフレアになって、タンポンの残部の最初の形から変形している時（尾びれの形など）など、タンポンの一部分は、Ｘ軸線に関して非対称であってもよい。更に、Ｘ軸線は、直線であっても非直線であってもよい。タンポンの一部分の「周囲」は、タンポンの外側表面の周囲でＸ軸線に垂直に測定された距離である。周囲は、例えば、走査型電子顕微鏡検査法（Scanning Electron Microscopy）Ｓ．Ｅ．Ｍ．と共に、樹脂を埋め込んだミクロトーム（Resin Embedded Microtome）（レボリューションサイエンス社（Resolution Sciences Corporation）（カリフォルニア州コルテマデラ）などの会社により供給）を使用して測定することができる。「周囲線」は、Ｘ軸線に垂直に引かれた横断面のタンポンの外側表面との交差によって作られる。周囲は、この周囲線の長さである。Ｘ軸線が非直線である場合、横断面は、関与する点でＸ軸線に接する線に垂直に引かれる。
【００１２】
「連続して変化する体積」を有するタンポンとは、Ｘ軸線に沿って取ったタンポンの連続する部分が、異なる体積を有するものである。本明細書においてタンポンが絶えず変化する体積を有するか否かを決定する目的のために、Ｘ軸線に沿って５ｍｍ毎に取ったタンポンのスライスの体積を比較してもよい。そのような測定値は、走査型電子顕微鏡検査法Ｓ．Ｅ．Ｍ．と共に、樹脂を埋め込んだミクロトーム（レボリューションサイエンス社（カリフォルニア州コルテマデラ）などの会社により供給）を使用して決定することができる。
【００１３】
用語「ほぼＳ字状」は、少なくとも約５ｍｍ離れた二点間の非直線の寸法を指す。外側表面と、タンポンのＸ軸線を通過する平面との交差によって「ほぼＳ字状の線」が形成される時、タンポンの外側表面は「ほぼＳ字状」である。換言すれば、この交差から形成された線が、約５ｍｍより長い直線である部分を含まない場合、「ほぼＳ字状」であると言われる。
【００１４】
外側表面の「変曲点」は、１つの下向きの凹部から上向きの凹部への、及びその逆の、傾斜における変化を示す外側表面上の位置である。
【００１５】
用語「挿入縁部」は、挿入末端部の絶対末端部を含む平面を指す。用語「挿入末端部」は、膣内へのタンポンの挿入を導くことを意図する、挿入縁部で始まるタンポンの末端部を指す。挿入末端部は、挿入縁部で始まり、挿入縁部からＸ軸線を下って自立形の全長の１／４の位置である「第１の推移位置」で終わる。故に、挿入末端部の全長は、自立形の全長の１／４である。
【００１６】
用語「中央領域」は、挿入末端部と引き抜き末端部との間に位置するタンポンの部分を指す。中央領域は、第１の推移位置で始まる。中央領域は、挿入縁部からＸ軸線を下って自立形の全長の３／４の位置である「第２の推移位置」で終わる。故に、中央領域の長さは、タンポンの全長の１／２である。
【００１７】
用語「引き抜き縁部」は、引き抜きの絶対末端部を含む平面を指す。用語「引き抜き末端部」は、引き抜き縁部で始まる、挿入末端部と反対側のタンポンの末端部を指す。引き抜き末端部は第２の推移位置で始まる。引き抜き末端部は引き抜き縁部で終わる。故に、引き抜き末端部の長さは、タンポンの全長の１／４である。
【００１８】
用語「最大挿入末端部周囲」は、第１の推移位置の周囲を除く、挿入末端部内の最大周囲を指す。用語「最小引き抜き末端部周囲」は、第２の推移位置の周囲を除く、引き抜き末端部内の最小周囲を指す。
【００１９】
「タンポンの全長」は、挿入縁部で始まり、引き抜き縁部で終わる、タンポンのＸ軸線の長さを指す。故に、タンポンの全長は、いかなるうわ包み、第２の吸収性部材、又は引き抜き縁部で終わる主要吸収性材料を超えて伸びる引き抜き用紐の長さも含まない。
【００２０】
用語「先細になっている」は、タンポンの徐々に細くなっている部分を指す。挿入末端部又はその一部分が、挿入縁部に近づく、徐々に減少する複数の周囲を有する時、挿入末端部は「先細になっている」。用語「フレアになっている」は、タンポンの広がっている部分を指す。引き抜き末端部は、引き抜き末端部又はその一部分が、引き抜き縁部に近づく、徐々に増大する複数の周囲を有する時、「フレアになっている」。
【００２１】
領域の「平均繊維密度」は、その領域における繊維の平均繊維密度を指す。平均繊維密度は、走査型電子顕微鏡検査法Ｓ．Ｅ．Ｍ．と共に、ミクロキャットスキャン（Micro Cat Scan）又は樹脂を埋め込んだミクロトーム（レボリューションサイエンス社（カリフォルニア州コルテマデラ）などの会社により供給）を使用して測定することができる。
【００２２】
用語「最大周囲領域」は、挿入末端部の最大周囲と、中央領域の最大周囲のどちら側においても５ｍｍの長さを取るタンポン上の領域を指す。故に、最大周囲領域は、長さが１０ｍｍの領域である。用語「最小周囲領域」は、中央領域の最小周囲と、引き抜き縁部を除く引き抜き末端部の最小周囲のどちら側においても５ｍｍの長さを取るタンポンの領域を指す。故に、最小周囲領域は、長さが１０ｍｍの領域である。
【００２３】
短縮形「ｇ／ｃｍ2」は、「１平方センチメートル当たりのグラム数」である。短縮形「ｍｍ」は、ミリメートルである。短縮形ｍｍ3は、立方ミリメートルである。
【００２４】
図１は、本発明の成形されたタンポン２０の一実施形態の斜視図を示している。タンポンは、タンポンを通って長手方向に伸びるＸ軸線２２を有する。タンポンの外側表面５０が示されている。
【００２５】
図２は、本発明の成形されたタンポンの一実施形態の平面図である。タンポン２０は、全長４８を有し、ほぼＳ字状の外側表面を含む、自立形に圧縮された吸収性材料のかたまりである。タンポンは、タンポンを通って長手方向に伸びるＸ軸線２２を有する。タンポン２０は、挿入末端部２４、引き抜き末端部３０、及び挿入末端部２４と引き抜き末端部３０との間に位置する中央領域３２を有する。挿入末端部２４は、挿入縁部３４で始まり、挿入縁部３４からＸ軸線２２を下り、自立形の１／４の地点である第１の推移位置３６で終わる。中央領域は、第１の推移位置３６で始まり、第２の推移位置３８で終わる。引き抜き末端部３０は、挿入末端部２４の反対側にあって、第２の推移位置３８で始まり、引き抜き縁部４０で終わる。引き抜き末端部は、タンポン２０の全長の１／４である。
【００２６】
図３は、ほぼＳ字状の線４２及び変曲点４４を示す、Ｘ軸線に沿う長手方向の断面図である。ほぼＳ字状の線は、外側表面と、タンポンのＸ軸線を通過する平面との交差によって形成される。
【００２７】
図４は、周囲線４６を示す、本発明の成形されたタンポン２０の一実施形態の斜視図である。成形されたタンポンは、連続して変化する体積を有する。この実施形態では、中央領域における周囲は、最大挿入末端部周囲と最小引き抜き末端部周囲のどちらよりも小さい。
【００２８】
図５は、本発明の成形されたタンポン２０のもう１つの実施形態を示している。タンポン２０は、最大周囲領域５２及び最小周囲領域５４を有する。最大周囲領域５２及び最小周囲領域５４はどちらも、長さが１０ｍｍである。この実施形態では、中央領域における周囲は、最大挿入末端部周囲及び最小引き抜き末端部周囲のどちらよりも小さい。
【００２９】
図６は、多数の周囲線４６を示す、図５に示された実施形態の引き抜き末端部からの端面図である。
【００３０】
図７は、成形されたタンポン２０のもう１つの実施形態の斜視図である。この実施形態では、中央領域における周囲は、最大挿入末端部周囲及び最小引き抜き末端部周囲のどちらよりも大きい。
【００３１】
タンポンは、タンポンを通って長手方向に伸びるＸ軸線２２を有する。
【００３２】
（Ｉ）本発明の成形されたタンポン
本発明をよりよく理解するために、幾つかの好ましい実施形態の詳細な説明を提供する。この説明は、例として挙げることを意図しており、本発明をこれらの好ましい実施形態に限定することを意図していない。従来の全ての特徴が必要以上に詳細に説明されている訳ではないものの、本発明の様々な特徴を組み込むタンポンの作り方及び使い方を、当業者はこの説明から認識するであろう。本発明のタンポンは、引き抜き末端部、中央領域、及び挿入末端部を含む、自立形に圧縮された吸収性材料のかたまりを含む。
【００３３】
本発明のタンポンの挿入末端部及び引き抜き末端部は、全体的に又は部分的にフレア又は先細になっていてもよい。一実施形態では、本発明によるタンポンの引き抜き末端部の少なくとも一部分は、例えば、第２の推移位置で始まるフレアになっている。引き抜き末端部全体がフレアになっている場合、引き抜き縁部は、第２の推移位置より大きい周囲を有する。任意に、引き抜き末端部の一部分のみがフレアになっており、次に、引き抜き縁部で終わる先細になっている部分が続いてもよい。この場合、引き抜き末端部は、引き抜き縁部の周囲より大きい周囲を有する。この場合、周囲は、第２の推移位置と引き抜き縁部との間で増大し、その後、減少する。もう１つの実施形態では、挿入末端部の少なくとも一部分は先細になっており、挿入縁部において挿入末端部の最小周囲で終わる。
【００３４】
Ａ．ほぼＳ字状であり、連続して変化する体積を画定する外側表面：本発明は、Ｘ軸線に沿って連続して変化する体積を画定する外側表面を有する自立形を含むタンポンに関する。これらのタンポンは、ほぼＳ字状である外側表面を更に有する。例えば、連続して変化する体積は、増大する体積を有する一連の５ｍｍの領域、次に続く、減少する体積を有する一連の５ｍｍの領域、次に続く、一連の増大する体積を有するもう１つの一連の５ｍｍの領域を含んでもよい。あるいは、連続して変化する体積は、減少する体積を有する一連の５ｍｍの領域、次に続く、増大する体積を有する一連の５ｍｍの領域、次に続く、一連の減少する体積を有するもう１つの一連の５ｍｍの領域を含んでもよい。連続する２つの５ｍｍの領域が同一体積を有する可能性があるにもかかわらず、タンポンは、連続的に変わる体積を有すると考えられることを理解されたい。例えば、連続する２つの５ｍｍの領域が、対称形の球体又は腰部領域を等しく分割する場合に、これが発生することがある。上記の特定の実施形態の各々が、ほぼＳ字状の線上の少なくとも１つの変曲点を画定する。増大及び／又は減少する更なる一連の体積を更に含む他の実施形態も構想され、これらの実施形態では、ほぼＳ字状の線上に少なくとも２つの変曲点が生じる。
【００３５】
連続して変化する体積を画定し、ほぼＳ字状である外側表面を有することに加えて、ある実施形態は、以下のＢ項において説明されるもののような周囲の制限を任意に有してもよい。更にもう１つの実施形態では、中央領域は、図７に示されるように、他の全ての周囲より大きい又はそれらに等しい周囲を有してもよい。
【００３６】
Ｂ．中央領域の周囲と、挿入末端部の周囲及び引き抜き末端部の周囲とを比較する実施形態：本発明のタンポンはまた、最大挿入末端部周囲及び／又は引き抜き末端部周囲より小さい少なくとも１つの周囲を、中央領域に任意に有してもよい。故に、この説明に適合する実施形態は、例えば、図１〜図５において容易に見ることができる、少なくとも１つの「腰部」、又は引き抜き末端部及び挿入末端部と比較して、中央領域において細くなっている箇所を有してもよい。もう１つの実施形態は、引き抜き末端部全体が図２のようにフレアになっている時のように、中央領域が、全ての引き抜き末端部周囲より小さい少なくとも１つの周囲を有するタンポンを含む。
【００３７】
この説明に含まれる実施形態はまた、中央領域周囲の少なくとも１つが、最大挿入末端部周囲より約５％〜約２５％、あるいは約１０％〜約１５％小さいタンポンも含むが、これらのタンポンに制限されない。同様に、中央領域周囲の少なくとも１つは、最大引き抜き末端部周囲より約５％〜約２５％、あるいは約１０％〜約１５％小さくてもよい。
【００３８】
Ｃ．Ｘ軸線に沿った密度変化：本発明の幾つかの実施形態において、Ｘ軸線に沿った繊維密度の変化を有することが望ましいことがある。そのような密度の変化は、快適さ及び流体獲得性を増大させることができる。そのような密度の変化は、上記で説明された本発明の全ての成形されたタンポンに適用されてもよい。特に、必ずではないが上記で論じた中央領域の「腰部」に位置することが多い最小周囲領域の平均繊維密度より低い引き抜き領域の平均繊維密度を有することが望ましいことがある。同様に、最小周囲領域の平均繊維密度より低い、中央領域の挿入末端部近くで典型的には球体に類似する最大周囲領域の平均繊維密度を有することが望ましいことがある。より低い平均繊維密度の領域は、流体を迅速に吸収して、貯蔵のためにその流体をより高い平均繊維密度の領域まで移動させることができるので、そのような構成は、快適さ及び挿入の容易さを増大させるだけでなく、流体獲得の利益も提供する。
【００３９】
タンポンが本発明に従って構成されて、均一の又はあらゆる組み合わせの平均繊維密度変化を有することが構想される一方、上記で説明された様々な密度の実施形態の例には、最大周囲領域の平均繊維密度の約１０５％〜約１５０％、あるいは約１１０％〜約１３０％である最小周囲領域の平均繊維密度を有するタンポンが含まれるが、これらに制限されない。あるいは、又は更に、タンポンは、引き抜き末端部の平均繊維密度の約１０５％〜約１５０％、あるいは約１１０％〜約１３０％である最小周囲領域の平均繊維密度を有してもよい。
【００４０】
本発明の成形されたタンポンを取り扱う時、様々な方法によって、様々な平均繊維密度の領域が達成され得る。例えば、プレジットを本発明の成形されたタンポンに成形する時、所望の密度変化が自然に発生してもよい。あるいは、タンポンプレジット自体が、圧縮及び／又は成形で所望の平均繊維密度の領域を提供するように調整された密度特性を有してもよい。例えば、ウェブは、挿入末端部及び／又は引き抜き末端部の少なくとも一部分になるウェブの縁部近くの領域において低平均繊維密度のレーヨン、及びウェブの中央部において高平均繊維密度の綿／レーヨンブレンドを含んでもよく、適切に重ね合わされる時、所望の平均繊維密度領域が生じる。
【００４１】
もう１つの方法は、成形された異なるタンポンプレジットで始まり、これは圧縮前の異なる領域における様々な量の出発物質になる。この方法を使用する時、プレジットに有用な形には、曲がった側面、山形、又は開いた本に似た形を有する「柔らかい四角形」が含まれるが、これらに制限されない。
【００４２】
圧縮及び／又は成形前にプレジットを巻くことによって本発明のタンポンが作られる時、吸収性材料の一部分は、米国特許第６，２８３，９５２号において説明されているように、引き抜き末端部から挿入末端部まで動かすことができる。あるいは、引き抜き末端部で使用された先細になっている圧縮ロッドが、タンポンの構成に関わらず、中央領域の方に材料を動かすために使用されてもよい。
【００４３】
上記で説明された所望の平均繊維密度の変化量を達成するために使用する方法の選択は、タンポンの構成及び加工処理の制限などの変数と、使用される吸収性材料及び所望の最終タンポンの吸収性と、所望の形の詳細とによる。所望の完成品を作って、上記で論じた、確認された消費者の利益を提供するために、当業者は、これらの方法を別々に又は組み合わせて使用するやり方を容易に認識するであろう。
【００４４】
Ｄ．タンポン材料及び構成要素：プレジットは、吸収性物品において一般に使用される多種多様の液体吸収性材料から構成されてもよい。そのような材料には、レーヨン（６１４０レーヨンとして入手可能なギャラクシー（GALAXY）レーヨン（３葉レーヨン構造）；又はサリル（SARILLE）Ｌレーヨン（丸繊維レーヨン）など（両方共アコーディスファイバー社（Acordis Fibers Ltd.）（英国ハリウォール）から入手可能）、綿、折り畳んだティッシュ、織布材料、不織布ウェブ、合成及び／又は天然繊維又はシート、一般にエアフェルトと呼ばれる粉砕木材パルプ、又はこれらの材料の組み合わせが挙げられるが、これらに制限されない。更に、超吸収性ポリマー又は吸収性ゲル材料などの超吸収性材料がタンポンに組み込まれてもよい。
【００４５】
プレジットは、圧縮及び／又は成形前は、四角形又は他のいかなる形であってもよい。液体吸収性材料と、プレジットの形及び寸法とのより詳細な説明は、整理番号８７５８の、アギアポン（Agyapong）らによる、「改善された保護及び快適さのタンポン（Improved Protection and Comfort Tampon）」という名称で、２００１年１０月２４日に出願された同時係属出願第１０／０３９，９７９号に見出すことができる。
【００４６】
本発明のタンポンは、引き抜き用紐、第２の吸収性部材、液体透過性うわ包み材料、及び／又はアプリケータを任意に含む。本発明において有用な引き抜き用紐は、先行技術において既知であるいかなる好適な材料から作られてもよく、綿及びレーヨンを含んでもよい。更に、本発明のタンポンはまた、第２の吸収性部材からも利益を得てもよい。「強化された漏れ予防性を有するタンポン（Tampon with Enhanced Leakage Protection）」という名称の、テイラー（Taylor）らへの米国特許第６，２５８，０７５号は、様々な第２の吸収性部材を有するタンポンを非常に詳細に説明している。本明細書において有用な任意のうわ包み材料には、レーヨン、綿、２成分繊維、ポリエチレン、ポリプロピレン、当該技術分野において既知である他の好適な天然又は合成繊維、及びこれらの混合物が挙げられる。
【００４７】
本発明のタンポンは、通常は指で挿入される。タンポンが指で挿入されることが意図される場合、挿入を助けるために、タンポンの引き抜き末端部に指のくぼみを提供することが望ましいことがある。指のくぼみは、圧縮ロッドを使用して作ることができる。指のくぼみの例は、「成形されたタンポン」という名称で、１９９７年５月５日に出願された米国特許第６，２８３，９５２号において見出される。
【００４８】
（ＩＩ）本発明の成形されたタンポンと共に有用な任意のアプリケータ
あるいは、挿入は、成形されたタンポンと共に使用するために先行技術から適合したいかなるアプリケータの使用によって助けられてもよい。典型的に「チューブ及びプランジャ」タイプの配置の先行技術のアプリケータは、プラスチック、紙、又は他の好適な材料であることができる。更に、「コンパクト」タイプのアプリケータも好適である。成形されたタンポンは、審美的魅力という消費者の更なる利益を提供するので、成形されたタンポンを、成形されたタンポンの少なくとも一部分又は全形をユーザが見ることができるようにするアプリケータタイプと組み合わせることが望ましいことが多い。ユーザにタンポンの形をよりよく気付かせる２つの技術は、半透明若しくは透明なアプリケータ材料の使用によって、視覚的な観察を可能にするか、又は鋳造したプラスチック若しくは積層した厚紙の管から作られることが多い、直線の壁で囲まれた円筒形のインサータ（はめ込み）管を含む典型的な市販のタンポンアプリケータよりも、取り囲まれ成形されたタンポンの浮き上がった形によりよく従って、その形をよりよく表すタンポンアプリケータの挿入末端部を提供するかのいずれかである。以下に使用されるように、用語「半透明」は、完全に透明な材料と、より少ない程度の透明性を有するものとを含むことを意味するが、アプリケータの形をタンポンの浮き上がった形に一致させることがなくても、タンポンの形の少なくとも一部分を確認するのに十分な程度まで、ユーザが材料を通して見ることができることを意味する。任意に、アプリケータは、取り囲まれたタンポンの浮き上がった形にも一致する半透明なアプリケータを通して、ユーザが、使用前に、成形されたタンポンを透かして見ることができる両方の技術を使用してもよい。
【００４９】
視覚的な観察を提供するために、部分的に又は完全にタンポンを取り囲むアプリケータの少なくとも一部分を半透明にする、少なくともある程度の光の透過を可能にする材料を選択することが望ましい。より十分な光の透過が望ましいこともある一方、オプション（選択肢）としては、アプリケータの挿入末端部に薄い色をつけて、成形されたタンポンの着色された眺めを提供することがある。特に好適な材料には、ポリエチレン、ポリプロピレン、ポリエステル、セロハン、ポリアミド、ポリ（塩化ビニル）、エチレン−ビニルアセテートコポリマー、ポリカーボネート、ＰＥＴ（ポリ（エチレンテレフタレート））などのポリマー樹脂が挙げられる。製造されるアプリケータの挿入末端部の構造形体次第で、特定のポリマーが、射出成型した挿入末端部かフィルムシース挿入末端部のように、１つの形体よりももう１つの形体により好適なことがある。
【００５０】
アプリケータの挿入末端部の少なくとも一部分に沿う、少なくともある程度の浮き上がった形の観察を提供するために、挿入末端部自体の少なくとも一部分が、成形されたタンポンと同程度まで成形されるか、又は成形されたタンポンの表面の少なくとも一部分に接触及び一致するべきである。硬い挿入末端部構造が好適な方法（例：射出成形）で成形されて、少なくともある程度の浮き上がった形が観察できる。あるいは、フィルム、紙、及び可撓性織布若しくは不織布などの可撓性又は柔軟な材料から作られたアプリケータの挿入末端部も、使用され得る。そのような可撓性又は柔軟な挿入末端部には、「スリーブ」又は「チューブ」（米国特許第２，９２２，４２２号及び第２，９２２，４２３号）；「シース」（米国特許第２，０９２，４２７号及び第３，７４９，０９３号）；「バレル（筒）」（米国特許第５，１３５，４７５号）；「バッグ」（米国特許第３，３５８，６８６号）；又は「フィルムエンクロージャ」（米国特許第４，６１０，６５９号）を含む、タンポンを部分的に又は全体的に取り囲むものが挙げられる。これらのタイプのアプリケータ及び／又は可撓性挿入末端部を、成形されたタンポンの外側表面に一致するように改良する時、挿入末端部の材料が、約１ｍｍ未満の厚さを有することが有益であることが多い。
【００５１】
シースタイプの可撓性挿入末端部を含むアプリケータの一実施形態は、タンポンの少なくとも挿入末端部を覆うためのフィルムキャップ、タンポンの少なくとも一部分を保持するためのリング管ユニット、及びタンポンの引き抜き末端部を押して、フィルムキャップを通してリング管ユニットから出させるためのプッシャ管を具備する入れ子式の厚紙アプリケータである。あるいは、ユーザの指がプッシャ管の代わりをしてもよい。リング管ユニットは、成形されたタンポンの少なくとも引き抜き末端部分を収容し、プッシャ管のガイドとして作用する。フィルムキャップは、タンポンの少なくとも挿入末端部を覆い、任意に、成形されたタンポンの側面の途中まで続き、リング管ユニットに取り付けられる。例えば、リング管ユニットは、長さ３５ｍｍで、内径１５ｍｍを有してもよい。プッシャ管は、長さ７３ｍｍを有してもよく、リング管ユニットの内側に納まることができる。タンポンは、長さが５０ｍｍであってもよく、タンポンの引き抜き末端部に近い部分は、リング管ユニット内に納まり、その結果、タンポンの挿入末端部の約３０ｍｍを露出したままにする。フィルムキャップ材料は、フィルムキャップに成形される、例えば約３８ミクロンの伸縮性のあるＬＤＰＥ平面的フィルムを含んでもよい。フィルムキャップを形成するために、平面的フィルムは、張力下で保持され、タンポンの頂部の上に引き下ろされて、リング管ユニットに部分的に収容される。次に、同フィルムは、リング管ユニットの側面を更に引き伸ばされてもよく、そこでその末端部がリング管ユニットに取り付けられて（例えば、接着剤、又は熱可塑性材料を利用するヒートシールで）、通常の使用状態ではリング管ユニットから分離しない。任意に、脆弱線、この場合は穿孔が、フィルムキャップに作られて、アプリケータからタンポンを排除する際に破れる。
【００５２】
場合によっては、タンポンへのフィルムシースのより綿密な一致性が好ましい時、任意に半透明である熱収縮フィルムが、タンポンの露出部分まで収縮され得る。例えば、ポリオレフィン熱収縮フィルムは、露出したタンポンの頂部の上でバッグを容易に滑らせて側面を下らせ、リング管ユニットの少なくとも一部分の上を滑らせるのに十分に大きい四角いバッグに形成される。バッグは、通常１つの末端部上でのみ開き、アプリケータ／タンポンの組立品の囲い込みを可能にする。バッグに継ぎ目がある場合、継ぎ目のより滑らかな側が外側を向くのが好ましい。次に、適切な熱がバッグの外側に適用されて、バッグを収縮させて、タンポン及びアプリケータリング管の表面の細部に一致させる。場合によっては、この収縮は、取り付け手段を追加することなくシースをアプリケータリング管に取り付けるのに十分である。次に、所望する場合、余分なフィルムは切り取られて、フィルムシースの頂部及び／又は側面に脆弱線が加えられる。
【００５３】
ゆるい又は一致する挿入末端部を有してもよいもう１つのアプリケータ構造は、フィルム、紙、若しくは不織布のバッグ；又はより厚いポリオレフィンフィルム若しくはシート（例：０．００８インチ（０．０２０ｃｍ）のポリエチレンシート）で熱成形によって作られるような、可撓性で弾力的な、部分的に変形可能に形成されたスリーブ若しくはバレルを具備してもよい。
【００５４】
（ＩＩＩ）本発明の成形されたタンポンと共に有用な包装材
本発明の成形されたタンポンは、中に包装されたタンポンを消費者に視覚的に示すために、タンポンの外側表面にぴったり一致する包装材を任意に使用し得る。成形されたタンポンが指で使用されることを意図し、従って、使用前にアプリケータに収容されていない場合、ぴったり一致する包装材が、特に有用である。包装材は、個々のタンポン各々をほぼ取り囲むべきであり、挿入及び使用前に取り除かれることを意図している。「ぴったり一致する」とは、包装材とタンポンとの間に視覚的に顕著な空の空間がほぼないことを意味する。換言すれば、ぴったり一致する包装材の周囲は、タンポンの外側表面の周囲を、約５０％を超過して超えない、又は約３０％以下で超えない。更にもう１つの実施形態では、平均的な包装材は、同表面の周囲を、約１０％を超過して超えない、又は約５％以下で超えない。特にタンポンは本明細書で説明されるように成形されるため、タンポンの周囲は、典型的に前記タンポンの長さの関数として変化するので、包装材のぴったりした一致の上述した制限は、タンポンの外側表面の少なくともほぼ長手方向の全ての部分に、好ましくはタンポンの外側表面の全ての部分に適用される。本発明の幾つかの実施形態では、包装材料の幾つかの領域が、紐の展開手段などの更なる機能的利益を提供してもよい。これらの領域では、包装材料は、全長に沿ってタンポンの外側表面にぴったり一致しなくてもよいが、それでも、上記で説明したタンポンの外側表面の長手方向の部分の少なくとも約７０％までぴったり一致する。あるいは、本発明の包装材は、タンポンの外側表面の長手方向部分の少なくとも８０％まで、又は少なくとも９０％までぴったりと一致してもよい。例として、包装材及びタンポンの上述の周囲は、包まれたタンポンの末端部を除いて、タンポンの長さの１０％毎の間隔でタンポンの長さに沿って測定することができる。タンポンは典型的に、繊維性吸収性材料を自立形に圧縮することによって作られるので、ぴったり一致する包装材が任意に使用されて、タンポンの外側表面上で、いくらかの圧縮力と共に作用することができ、それが、さもなければ、成形されたタンポンの一部分の周囲を、使用前の通常の工程中（購入前の小売包装内での保管時間など）に、望ましくない大きい周囲へと過度に増大させる、圧縮された材料の膨張を妨げることによって、特により小さい周囲を有する領域において、前記自立形を維持するのを助ける。環境及び意図される用途次第で、周囲の望ましくない増大は、（周囲の長さの）約５％〜約５０％、あるいは１０％〜約３０％の範囲になり得る。
【００５５】
包装材は、多種多様の既知の技術及び／又は材料の使用によって、ぴったり一致するように作ることができる。使用される包装材料は、タンポンを衛生的に包むために使用するのに好適ないかなる材料であってもよい。本明細書における使用に好適な包装材料には、１ｍｍ未満の厚さを有する可撓性ポリマーフィルムが挙げられる。本発明と共に使用するのに好適な包装材料の例は、ポリエチレン、ポリプロピレン、ポリエステル、ポリスチレン、セロハン、ポリアミド、ポリ（塩化ビニル）、エチレン−ビニルアセテートコポリマーなどから作られるポリマーフィルムである。ポリエチレン及びポリプロピレンなどのポリオレフィン材料、又はポリ（塩化ビニル）は、熱収縮可能な材料として特に有用であると共に、当業者によってそのように使用されて、ぴったり一致する包装材を形成し、典型的にヒートシールを利用して包装材縁部を閉じることができる。本明細書で使用される「熱収縮可能な」は、典型的に少なくとも２つの次元において伸びを有すると共に（例えば、フィルム又は不織布）、通常の保管又は使用温度を超える高温まで加熱されるが、その温度が融解温度より低い時、又は材料が融解する前に分解する場合、その分解温度より低い時、前記次元の少なくとも一次元においてその伸びを低減させる材料を指す。
【００５６】
本発明のぴったり一致する包装材を形成するために、他の技術及び／又は材料も使用され得る。例えば、ポリオレフィン及びポリ（塩化ビニル）もストレッチフィルムとして使用され、ヒートシールが使用されて包装材の縁部を閉じることができる。ポリスチレン及びＰＥＴ（ポリエチレンテレフタレート）も有用であるが、これらはヒートシールが可能ではないので、例えば、接着剤を使用して、包装材を閉じてもよい。あるいは、予め引き伸ばされた弾性材料は、合成又は天然（例：ゴム）エラストマーから形成されることができる。他の実施形態は一般に、手で圧縮されてぴったり一致する包装材になり得る、金属ホイル（例：アルミホイル）などのほぼ閉鎖性の材料を含む。不織布、織布、スクリム、メッシュ、及び紙などの非閉鎖性又は多孔質の材料も、弾性タイプの材料を引き伸ばすか、又は上述された収縮によって、ぴったり一致する包装材が製造され得る程度まで使用することができる。そのような非閉鎖性材料は、閉鎖性材料で積層又はコーティングすることによって閉鎖性にすることができる。セルロース系の紙の場合、例としては、ポリオレフィン組成物などのポリマーフィルムでの積層、又はワックスによる紙のコーティング若しくは含浸が挙げられる。上述の材料はまた、種々の化学的化合物でコーティングされて、それらの障壁特性又は密封能力を改善させることができる。典型的に、本発明の包装材料としての使用に最も好適な材料は、タンポンを包んだ後、包装材料を閉じることによって包装材を形成するためにヒートシール可能である。包装材料を閉じるための代替方法としては、接着剤、エンボス加工、クリンピング（けん縮）、縫い合わせ、縫製、絡み合わせ、機械的噛み合わせ、常温圧縮溶接、又は超音波結合がある。
【００５７】
本発明において有用な包装材は、少なくとも１つの脆弱線を含む開口手段を備えてもよい。この開口手段は更に、包装材の開放の際に、包装材が１つ以上の包装材料に分離するのを防ぎ得ることがある。例えば、脆弱線は、包装材の開放の際に包装材の一部分が裂けて、包装材が断片化するのを防ぐために、包まれたタンポンの一部分の周りのみで長さ及び周囲に関して伸びてもよい。
【００５８】
一般に本発明の包装材は、その最も一般的な形体では、タンポンをほぼ取り囲むために、タンポンの周囲を包装材料で包み、包装材料を閉じるためにそれ自体の上に密封することによって作ることができる。密封は、圧力、及び任意に熱によって促進されてもよい。本発明のもう１つの実施形態では、包装材フィルム材料のスリーブが形成されて、重なり合う領域において接着剤で接続される。スリーブは、タンポンの上に置かれ、続いて熱収縮され得る。必要な場合、次の工程で熱収縮される小袋を形成するために、タンポンの引き抜き末端部及び／又は挿入末端部に当てられる包装材の末端部は、接着剤で閉じられることができる。熱収縮可能な材料が使用される場合、タンポンの周りで閉じられた後、その材料は収縮し、包装材がタンポンの外側表面にぴったり一致するように包装材料の寸法を低減させる。ストレッチフィルム、又はタンポンの周りで閉じられた後、引っ張りのない若しくは引っ張りの少ない状態、又は非伸張若しくは低伸張状態に緩められる予め引き伸ばされた弾性材料を使用することによって、同様のことが達成され得る。ぴったり一致する包装材を達成するためのもう１つの方法は、タンポンの周りで包装材料を包んだ後、包装材を部分的に閉じ、次に真空の適用によって包装材の内側の空気を抜き、最後に包装材を完全に閉じることである。
【００５９】
（ＩＶ）本発明のタンポンの製造
本発明のタンポンの製造において有用な方法は、次の工程を伴う：第１の内側表面と第１の外側表面とを有する第１の分割空洞型部材を提供し；第２の内側表面と第２の外側表面とを有する第２の分割空洞型部材を提供し；第１の分割空洞型部材の第１の内側表面を第２の分割空洞型部材の第２の内側表面に向け、第１の末端部、第２の末端部、及び第２の末端部に位置する開口部を有する分割空洞型を生じさせ；第１の末端部、第２の末端部、及び第２の末端部に位置する開口部を有する外スリーブを提供し；分割空洞型の第１の末端部を外スリーブに挿入し、分割空洞型における開口部が外スリーブの第２の末端部を通して見えると共に、外スリーブが第１の分割空洞型部材と第２の分割空洞型部材とを共に保持し、分割空洞型と外スリーブとの組み合わせが、移動末端部を有する接合したスリーブ空洞型を形成し；接合したスリーブ空洞型の移動末端部がタンポン圧縮機における圧縮つかみ具に面するように、接合したスリーブ空洞型をタンポン圧縮機のＶブロックホルダ内に装填し；タンポンプレジットを提供し；タンポンプレジットを圧縮つかみ具内に配置し；圧縮つかみ具を作動させて、タンポンプレジットを高縦横比形に圧縮して、圧縮されたタンポンプレジットを生じさせ；圧縮部材を使用して、作動したつかみ具から、接合したスリーブ空洞型の移動末端部内まで圧縮されたタンポンプレジットを移動させて、第１の末端部と、開口部を有する第２の末端部とを有するタンポン型を生じさせ；圧縮部材をタンポン型の開口部から取り除き；タンポン型をタンポン圧縮機から取り除き；成形されたタンポンを自立化し；成形されたタンポンをタンポン型から取り除く。
【００６０】
マイクロ波が自立化する方法として使用される場合、型及びスリーブ（使用される場合）がマイクロ波透過材料から作られるマイクロ波ユニットに、タンポン型が配置される。タンポンが自立化された後、タンポン型をマイクロ波ユニットから取り除くことによって、成形されたタンポンを取り除くことができる。その後、分割空洞型は、外スリーブの第２の末端部を通して外スリーブから取り出されてもよい。次に、分割空洞型が分割される、すなわち、少なくとも部分的に分離するか、又は所望の程度（例えば、部分的に開封する）まで分離して、タンポンを取り除く次の工程を助ける。最後に、成形されたタンポンが分割空洞型から取り除かれる。
【００６１】
自立形体への圧縮には、熱及び圧力の両方をタンポンプレジットに付与する必要があることが、当業者によって認識されるであろう。そのような熱及び圧力は、繊維を「セット」し、流体の膨張の対象となるこの自立形体を達成する。上記で説明した方法の詳細、並びに本発明のタンポンを形成するために使用されてもよい他の方法が、「成形されたタンポンを製造する方法（Method of Producing a Shaped Tampon）」という名称で３月１８日に出願されたセージサー（Sageser）らによる同時係属出願第６０／３６５，６６９号に見出される。
【実施例】
【００６２】
以下は、本発明の種々の実施形態を説明する実施例の一覧である。本発明の精神及び範囲から逸脱することなく他の様々な変更及び修正が可能であることが、当業者には明白である。
【００６３】
下記に提供される実施例１〜７は、標準シンジナ（syngyna）テストによって測定された時に約９〜約１２グラムの吸収能力を有するように設計されたタンポンである。他の吸収性及び寸法が、所望に応じて増大又は減少され得ることを、当業者は容易に認識するであろう。実施例におけるタンポンの全長は４８ｍｍである。下記の「タンポン長」の欄は、周囲の測定値が取られた、タンポンの全長に関するタンポン上の位置を示している。０ｍｍでの周囲の測定は引き抜き縁部であり、４８ｍｍでの周囲の測定は挿入縁部であり、それらの間の列挙された測定値は、引き抜き縁部から挿入縁部までＸ軸線に沿って連続的に下っている。
【００６４】
【表１】
2005520633.tif 000003
【００６５】
【表２】
2005520633.tif 000004
1この実施例は、４つの変曲点を有する。
【００６６】
（実施例７）
３９．３ｍｍの最小引き抜き末端部周囲と、４０．８ｍｍの最大挿入末端部周囲と、３９．３ｍｍ未満、例えば、３７．９ｍｍの中央領域における周囲とを有するタンポンが形成される。
【００６７】
（実施例８）
３７．７ｍｍの少なくとも１つの中央領域周囲と、４０．８ｍｍの最大挿入末端部周囲とを有するタンポンが形成される。故に、中央領域は、最大挿入末端部周囲より７．６９％小さい周囲を有する。
【００６８】
（実施例９）
引き抜き末端部が非対称である、実施例４によるタンポンが作られる。
【００６９】
（実施例１０）
最大周囲が中央領域に位置し、４１ｍｍであるタンポンが作られる。
【００７０】
（実施例１１）
最大周囲領域の平均繊維密度が０．０３９６０ｇ／ｃｃであり、最小周囲領域の平均繊維密度が０．０４６５０ｇ／ｃｃである、実施例４によるタンポンが作られる。故に、最小周囲領域の平均繊維密度は、最大周囲領域の平均繊維密度の１１７％である。
【００７１】
（実施例１２）
図４に類似するタンポンが山形のプレジットから作られ、引き抜き末端部で始まり挿入末端部で終わる５ｍｍ区域の体積は、次のとおりである：６８３．７０ｍｍ3、６０３．５０ｍｍ3、４５２．６４ｍｍ3、４５２．６２ｍｍ3、９０５．２５ｍｍ3、７９２．４０ｍｍ3、７９２．６０ｍｍ3、１４１．３７ｍｍ3、３４．３４ｍｍ3。更なる正確さのために、より大きい有効数字を提供する体積の測定値を取ることができる。
【００７２】
全ての引用された文書は、関連部分において本明細書に参考として組み込まれる；任意の文書の引用は、それが本発明に関して先行技術であるということの承認として解釈されるべきではない。
【図面の簡単な説明】
【００７３】
【図１】成形されたタンポンの外側表面の斜視図。
【図２】タンポンの挿入末端部、引き抜き末端部、中央領域、及び全長を示す成形されたタンポンの平面図。
【図３】ほぼＳ字状の線及び変曲点を示す、Ｘ軸線に沿う長手方向の断面図。
【図４】周囲の線を示す、本発明の成形されたタンポンの一実施形態の斜視図。
【図５】周囲の線を示す、成形されたタンポンのもう１つの実施形態の斜視図。
【図６】多数の周囲の線を示す、図５に示された実施形態の端面図。
【図７】周囲の線を示す、成形されたタンポンのもう１つの実施形態の斜視図。
【図１】
2005520633.tif 000005
【図２】
2005520633.tif 000006
【図３】
2005520633.tif 000007
【図４】
2005520633.tif 000008
【図５】
2005520633.tif 000009
【図６】
2005520633.tif 000010
【図７】
2005520633.tif 000011
【国際調査報告】
2005520633.tif 000012
2005520633.tif 000013
2005520633.tif 000014